(57)【要約】    【課題】      配信情報をよりリアルタイムに表示できるとともにこの配信情報に関する詳細な情報を容易な操作で取得することができる通信システム、情報配信サーバ装置、および携帯端末装置を提供すること。    【解決手段】  情報配信サーバ装置１００においては、配信情報と、この配信情報に関する詳細情報の取得場所へのリンク情報とが対応づけられているテロップデータが記憶され、このテロップデータが携帯端末装置３００に送信される。テロップデータの受信側である携帯端末装置３００においては、テロップデータに含まれる配信情報を表示するとともに、表示されている配信情報が操作部（指定手段）を用いて指定されたときには、指定された配信情報に対応するリンク情報に基づいてアクセス制御がなされる。  【選択図】      図１
2006031366.tif 000002
【特許請求の範囲】
【請求項１】
情報配信サーバ装置と、前記情報配信サーバ装置から配信情報を受信する携帯端末装置とを有する通信システムであって、
前記情報配信サーバ装置は、
前記配信情報と前記配信情報に関する詳細情報の取得場所へのリンク情報とを対応づけて記憶する記憶手段と、
前記配信情報および前記リンク情報を送信する送信制御手段と、
を具備し、
前記携帯端末装置は、
前記配信情報および前記リンク情報を受信する受信手段と、
前記配信情報の表示を制御する表示制御手段と、
表示される前記配信情報を指定する指定手段と、
指定される前記配信情報に対応する前記リンク情報に基づいて前記詳細情報の取得場所へのアクセスを制御するアクセス制御手段と、
を具備することを特徴とする通信システム。
【請求項２】
前記記憶手段は、前記配信情報と１つの前記配信情報に対して複数の前記リンク情報を対応づけて記憶し、
前記送信制御手段は、前記配信情報と当該配信情報に対応する複数の前記リンク情報とを送信し、
前記指定手段は、表示される前記配信情報を指定し、かつ、指定した前記配信情報に対応する複数の前記リンク情報の中から１つの前記リンク情報を指定し、
前記アクセス制御手段は、指定された前記リンク情報に基づいて前記詳細情報の取得場所へのアクセスを制御することを特徴とする請求項１記載の通信システム。
【請求項３】
表示すべき前記配信情報の種別と表示すべきでない前記配信情報の種別とを設定する設定手段をさらに具備し、
前記表示制御手段は、表示すべき種別の前記配信情報の表示を制御することを特徴とする請求項１又は請求項２に記載の通信システム。
【請求項４】
前記表示制御手段は、前記配信情報をテロップとして連続的に表示することを特徴とする請求項１から請求項３のいずれかに記載の通信システム。
【請求項５】
配信情報と前記配信情報に関する詳細情報の取得場所へのリンク情報とを対応づけて記憶する記憶手段と、
前記配信情報および前記リンク情報を送信する送信制御手段と、
を具備する情報配信サーバ装置。
【請求項６】
前記記憶手段は、前記配信情報と１つの前記配信情報に対して複数の前記リンク情報を対応づけて記憶し、
前記送信制御手段は、前記配信情報と当該配信情報に対応する複数の前記リンク情報とを送信することを特徴とする請求項５記載の情報配信サーバ装置。
【請求項７】
配信情報と前記配信情報に関する詳細情報の取得場所へのリンク情報とを対応づけて記憶する記憶手段と、前記配信情報および前記リンク情報を送信する送信制御手段と、を具備する情報配信サーバ装置から配信を受ける携帯端末装置であって、
前記配信情報および前記リンク情報を受信する受信手段と、
前記配信情報の表示を制御する表示制御手段と、
表示される前記配信情報を指定する指定手段と、
指定される前記配信情報に対応する前記リンク情報に基づいて前記詳細情報の取得場所へのアクセスを制御するアクセス制御手段と、
を具備することを特徴とする携帯端末装置。
【請求項８】
表示すべき前記配信情報の種別と表示すべきでない前記配信情報の種別とを設定する設定手段をさらに具備し、
前記表示制御手段は、表示すべき種別の前記配信情報の表示を制御することを特徴とする請求項７記載の携帯端末装置。
【発明の詳細な説明】
【技術分野】
【０００１】
本発明は、通信システム、情報配信サーバ装置、および携帯端末装置に関し、特に情報を配信する配信システム、それを構築する情報配信サーバ装置、および携帯端末装置に関する。
【背景技術】
【０００２】
従来から各種サーバ装置より配信される時事ニュースや天気予報などの配信情報を携帯端末装置において受信し表示することは行われているが、携帯端末装置において別の処理や作業などを行っているときには受信した最新情報をリアルタイムに表示することができなかった。つまり、受信した配信情報を閲覧するためには、一時的に処理や作業を中断し画面表示の切り換えを行う必要があるため、手間が掛かり非効率であった。また、受信した配信情報を携帯端末装置に保存しておき作業終了後に閲覧する方法も考えられたが、配信情報が随時更新されると、閲覧するときには情報が古くなってしまっている場合がある。
【０００３】
これを解決するための従来の情報配信システムが特許文献１に示されている。この従来の情報配信システムにおいては、テキストデータ形式のテロップデータを配信サーバ装置が配信し、通信端末装置がこのテロップデータを受信する。そして、通信端末装置においてはテップアプリケーションが起動しており、通信端末装置は、テロップデータを受信したときに行っている別作業の妨げにならない画面の位置にテロップデータをテロップ表示する。このテロップ表示とは、テキストデータが画面上を例えば右から左へ流れるようになされる表示である。この従来の情報配信システムによって、いつでも時事ニュースや天気予報などの最新の配信情報を知ることができた。
【特許文献１】特開平１０−１３３８４４号公報
【発明の開示】
【発明が解決しようとする課題】
【０００４】
しかしながら、従来の情報配信システムにおいては、配信情報がテキストデータとして配信されるため、配信を受ける通信端末装置により行われる配信情報の表示処理が単純かつ容易であり携帯端末装置のように画面が小さく処理能力の低い通信端末装置にとっては有効である一方で、配信されたテキストデータが画面にテロップ表示されるだけでそれ以上の詳細な情報を取得することができないため、宣伝・広告などの情報配信には不向きであった。
【０００５】
そこで、携帯端末装置においてインターネットなどから様々な情報を取得することができるアプリケーションであるウェブ・ブラウザを利用することも考えられる。しかし、画面が大きく、キーボードやマウスなどによる操作が可能なパーソナルコンピュータなどの通信端末装置であれば、ＵＲＬの入力などが容易でありウェブ・ブラウザを利用することができるが、携帯端末装置のように画面が小さくかつキーボタンからの入力を行わなければならない場合には、携帯端末装置に対応しているウェブページ以外ではウェブページの一部だけが表示されるなどの制約が発生することがある。さらにＵＲＬの入力などの作業が非常に煩雑となる。
【０００６】
本発明は、かかる点に鑑みてなされたものであり、配信情報をよりリアルタイムに表示できるとともにこの配信情報に関する詳細な情報を容易な操作で取得することができる通信システム、情報配信サーバ装置、および携帯端末装置を提供することを目的とする。
【課題を解決するための手段】
【０００７】
本発明の実施の形態に係る第１の特徴は、通信システムにおいて、情報配信サーバ装置と、前記情報配信サーバ装置から配信情報を受信する携帯端末装置とを有し、前記情報配信サーバ装置が、前記配信情報と前記配信情報に関する詳細情報の取得場所へのリンク情報とを対応づけて記憶する記憶手段と、前記配信情報および前記リンク情報を送信する送信制御手段と、を具備し、前記携帯端末装置が、前記配信情報および前記リンク情報を受信する受信手段と、前記配信情報の表示を制御する表示制御手段と、表示される前記配信情報を指定する指定手段と、指定される前記配信情報に対応する前記リンク情報に基づいて前記詳細情報の取得場所へのアクセスを制御するアクセス制御手段と、を具備したことである。
【０００８】
本発明の実施の形態に係る第２の特徴は、情報配信サーバ装置において、配信情報と前記配信情報に関する詳細情報の取得場所へのリンク情報とを対応づけて記憶する記憶手段と、前記配信情報および前記リンク情報を送信する送信制御手段と、を具備したことである。
【０００９】
本発明の実施の形態に係る第３の特徴は、情報配信サーバ装置から配信を受ける携帯端末装置において、前記配信情報および前記リンク情報を受信する受信手段と、前記配信情報の表示を制御する表示制御手段と、表示される前記配信情報を指定する指定手段と、指定される前記配信情報に対応する前記リンク情報に基づいて前記詳細情報の取得場所へのアクセスを制御するアクセス制御手段と、を具備したことである。
【発明の効果】
【００１０】
本発明によれば、配信情報をよりリアルタイムに表示できるとともにこの配信情報に関する詳細な情報を容易な操作で取得することができる通信システム、情報配信サーバ装置、および携帯端末装置を提供することができる。
【発明を実施するための最良の形態】
【００１１】
以下、本発明の実施の形態について図面を参照して詳細に説明する。なお、実施の形態において、同一の構成要素には同一の符号を付し、その説明は重複するので省略する。
【００１２】
（実施の形態１）
まず、本発明の実施の形態１に係る通信システムの構成について、図１を参照して説明する。
【００１３】
図１に示すように通信システム１０は、情報配信サーバ装置１００と、ネットワークシステム２００と、情報配信サーバ装置１００から配信情報を受信する携帯端末装置３００とを備える。
【００１４】
この通信システム１０においては、情報配信サーバ装置１００は、配信情報と、この配信情報に関する詳細な情報の取得場所へのリンク情報とを対応づけて記憶している。そして、情報配信サーバ装置１００は、自装置にて記憶している配信情報とこれに対応するリンク情報とをネットワークシステム２００を介して携帯端末装置３００に送信する。なお、本実施の形態においては、情報配信サーバ装置１００が配信情報とこれに対応するリンク情報とを１つのデータに含めた形態の送信形態データとして記憶し、この送信形態データが携帯端末装置３００に対して送信されるものとして説明する。
【００１５】
携帯端末装置３００は、情報配信サーバ装置１００からの配信情報とこれに対応するリンク情報とを含む送信形態データを受信する。そして、携帯端末装置３００は、受信した送信形態データに含まれる配信情報を表示する。そして、携帯端末装置３００は、表示されている配信情報が指定されると、これに対応したリンク情報に基づいてこのリンク情報が示す詳細情報を取得できる場所へのアクセスを行う。
【００１６】
また、情報配信サーバ装置１００は、図１に示すようにデータ配信制御部１０１と、データ管理データベース部１０２（図１においては「データ管理DB」と表記している）と、配信部１０３とを有する。
【００１７】
データ管理データベース部１０２には、送信形態データとしてハイパーテキスト形式のテロップデータが蓄積されており、このテロップデータは図２で示すようなテロップデータ管理テーブルで管理されている。このテロップデータ管理テーブルは、テロップデータ名と、このテロップデータがデータ管理データベース部１０２に格納されたときの時間情報とを含んでいる。時間情報は、「西暦、月、日、時、分、秒」の順で記述されている。
【００１８】
図２のテロップデータ管理テーブルの一番上の行には、テロップデータがテロップ管理データベースに格納された時間として西暦2004年、3月、16日、12時、58分、0秒であることが記述されている。データ管理データベース部１０２は、新しいテロップデータが追加された場合、時間情報とテロップデータ名とをテロップデータ管理テーブルの下に追記し更新する。
【００１９】
すなわち、データ管理データベース部１０２は、配信情報と、この配信情報に関する詳細情報の取得場所へのリンク情報とが対応づけられているテロップデータを送信形態データとして記憶するとともに、テロップデータ名とテロップデータが格納された時間情報とが記録されたテロップデータ管理テーブルによりテロップデータを管理している。なお、配信情報とリンク情報とは関連づけられて記憶されていれば、テロップデータとして１つのデータにまとめて記憶しておく必要はない。この場合、関連づけて記憶されている配信情報とリンク情報とに基づき、送信形態データとしてのテロップデータが生成されることになる。
【００２０】
データ配信制御部１０１は、図３に示すようなテロップデータ配信制御情報を持っている。このテロップデータ配信制御情報には、前回配信時間情報、および配信時間間隔情報が含まれている。前回配信時間情報とは、前回テロップデータの配信を実行した時点の時刻を示している。また、配信時間間隔情報とは、テロップデータの配信が実行される時間間隔を示し、「時、分、秒」で表現される。
【００２１】
テロップデータの配信が実行される場合、まず、データ配信制御部１０１が、テロップデータ配信制御情報を参照し、前回配信時間から配信時間間隔が経過したかどうかを判定する。すなわち、この判定では、サーバ内部のタイマが示す時間と前回配信時間との差が配信時間間隔以上であるか否かが判定される。
【００２２】
上記判定の結果前回配信時間から配信時間間隔以上経過していた場合には、データ配信制御部１０１は、データ管理データベース部１０２からテロップデータ管理テーブルを取得するとともに、テロップデータ名に対応するテロップデータをテロップデータ管理データベース部１０２から取得する。
【００２３】
図３を詳細に説明すると、テロップデータ配信制御情報の前回配信時間が「2004/03/16、12:57:00」であり配信時間間隔が「00:10:00」であるため、次にテロップデータの配信が実行されるのは前回配信時間から１０分後の「2004/03/16、13:07:00」となる。
【００２４】
また、データ配信制御部１０１は、取得したテロップデータ、およびテロップデータ管理テーブルを配信部１０３に送出する。また、データ配信制御部１０１は、データ管理データベース部１０２からテロップデータおよびテロップデータ管理テーブルを取得した時刻を最新の前回配信時間情報として、テロップデータ配信制御情報に含まれる前回配信時間情報を更新する。具体的には、図３に示されている前回配信時間情報が図４に示すように更新される。
【００２５】
配信部１０３は、データ配信制御部１０１からテロップデータおよびテロップデータ管理テーブルを受け取ると、携帯端末装置３００に対して配信する。
【００２６】
携帯端末装置３００は、図１に示すように受信部３０１と、データ管理部３０２と、データ解析部３０３と、表示制御部３０４と、表示部３０５と、操作部３０６と、アクセス制御部３０７とを備える。
【００２７】
受信部３０１は、情報配信サーバ装置１００から配信されたテロップデータおよびテロップデータ管理テーブルを受信し、データ管理部３０２に送出する。
【００２８】
データ管理部３０２は、受信部３０１から受け取るテロップデータ管理テーブルを参照し、テロップデータ管理テーブルの最上行に記述されているテロップデータ名に対応するテロップデータおよび時間情報から順番にデータ解析部３０３に送出する。ただし、データ解析部３０３にテロップデータおよび時間情報を送出する処理は、表示制御部３０４からの要求があった場合に実行される。また、表示制御部３０４からの１回の要求によりテロップデータ管理テーブルの１行分の送出処理が実行される。
【００２９】
データ解析部３０３は、データ管理部３０２から受け取ったテロップデータおよび時間情報を用いて解析を実行する。なお、１つのテロップデータには、複数のテロップ表示情報が含まれる場合もある。
【００３０】
テロップデータはハイパーテキスト形式であるため図５のような構成をとる。ハイパーテキスト形式では、＜○○○＞と＜/○○○＞というタグで挟まれるテキスト文が、そのタグに対応する処理を受ける。例えば、ハイパーテキスト形式の１つであるHTML形式であれば、＜HTML＞と＜/HTML＞とで挟まれるテキスト文が、HTMLに対応する処理を受ける。また、＜FONT＞と＜/FONT＞とで挟まれるテキスト文には、このタグに対応する処理、具体的にはフォントサイズの変更という処理がなされる。
【００３１】
データ解析部３０３にて行われるデータ解析を、図５を参照して具体的に説明する。
【００３２】
データ解析部３０３は、テロップデータの先頭からデータ解析を行い、＜TELOP＞タグを検索する。＜TELOP＞タグは、テロップの始まりを意味している。データ解析部３０３は、＜TELOP＞タグの検索後、＜TELOP＞タグの下に記述されている＜CATEGORY＞タグを検索し、＜CATEGORY＞〜＜/CATEGORY＞の間に記述されたテキスト文をカテゴリ内容として解析する。データ解析部３０３は、カテゴリ内容の解析後、＜/CATEGORY＞タグの下に記述されている＜MAIN＞タグを検索し、＜MAIN＞〜＜/MAIN＞の間に記述されたテキスト文をテロップ本文（すなわち、これが配信情報である）として解析する。
【００３３】
データ解析部３０３は、テロップ本文の解析後、＜/MAIN＞タグの下に記述されている＜LINK＞タグを検索し、＜LINK＞〜＜/LINK＞の間に記述されたテキスト文をリンク内容として解析する。データ解析部３０３は、リンク内容の解析後、＜/LINK＞タグの下に記述されている＜/TELOP＞タグを検索し、１つのテロップの終了として解析する。
【００３４】
データ解析部３０３は、＜/TELOP＞タグの後に＜TELOP＞タグが存在した場合、２つ目のテロップとして、再びテロップデータの解析を開始する。
【００３５】
なお、図５では、テロップデータのリンク内容には、「web to」などリンクの意味（動作）を明示する文字を記載しているが、リンク内容からデータ解析部３０３がその意味を自動的に解析することもできる。例えば、リンク内容に「＠」が存在するならばそのリンク情報がメールアドレスを意味していると解析でき、また、「090」等で始まっているならばそのリンク情報が電話番号を意味していると解析できる。
【００３６】
以上のような流れにより、データ解析部３０３は、テロップデータの解析を実行し、解析テロップデータを生成する。
【００３７】
図６に示すように解析テロップデータには、実際にテロップ表示される「テロップ表示情報（配信情報）」と、テロップ表示が行われずテロップ表示情報に対応するリンクとして使用される「リンク情報」の２つがある。
【００３８】
テロップ表示情報は、「時間情報、カテゴリ、本文」を１組として構成され、時間情報についてはデータ解析部３０３がデータ管理部３０２からテロップデータを受け取った時間情報をそのまま利用する。カテゴリについては、カテゴリ内容が括弧などで囲まれて強調される。また、テロップデータ内に複数の＜TELOP＞タグが存在した場合には、テロップ表示情報は複数の組で構成され、各組の間には「区切り情報」が挿入される。
【００３９】
リンク情報は、「リンク種別、アドレス情報」を１組として構成される。リンク種別には、ウェブを表す「WEB」、電話を表す「PHONE」、メールを表す「MAIL」などがある。また、アドレス情報には、リンク種別に対応した情報、例えば、URL、電話番号、メールアドレス等が記述されている。リンク情報についてもテロップデータ内に複数の＜TELOP＞タグが存在した場合には、リンク情報は複数の組で構成され、各組の間には「区切り情報」が挿入される。
【００４０】
さらに、データ解析部３０３は、解析テロップデータを生成するときに、テロップデータ内のカテゴリおよび本文と、同一の＜TELOP＞〜＜/TELOP＞タグ内に記述されていたリンク内容との関連付けを行う。
【００４１】
そして、データ解析部３０３は、生成した解析テロップデータを表示制御部３０４に送出する。
【００４２】
表示制御部３０４は、データ解析部３０３から解析テロップデータを受け取ると、解析テロップデータに含まれるテロップ表示情報を先頭から順番に読み込み、表示部３０５に表示する。表示部３０５においては、図７の（d1〜d12）で示すように、表示制御部３０４の表示制御により、テロップ表示情報が表示部３０５の画面上を右から左へ流れるように表示される。さらに、人間が表示部３０５に表示された文字を見て滑らかに流れていると感じるような処理が施されている。なお、図７のｄ１からｄ１７に各々示している枠は、表示部３０５においてテロップが表示される領域を示している。
【００４３】
携帯端末装置３００の表示部３０５は、例えば前面ディスプレイおよび背面ディスプレイである。携帯端末装置３００が折り畳み式で開いている状態およびストレート型である場合には、前面ディスプレイにテロップ表示情報が表示される。また、携帯端末装置３００が折り畳み式で閉じている状態にある場合には、前面ディスプレイが隠れるため、背面ディスプレイにテロップ表示情報が表示される。
【００４４】
また、表示制御部３０４は、解析テロップデータに含まれるテロップ表示情報を先頭から順番に読み込むが、テロップ表示情報に含まれる区切り情報の読み込みを行った場合には、図７の（d13〜d17）に示すように、今まで読み込まれたテロップ表示情報を表示部３０５ですべて表示しテロップ表示領域の右から左に流れ終わるまで、次のテロップ表示情報を読み込まない。こうすることで、後述する、表示されているテロップ表示情報の指定を行うタイミングが図りやすくなることにより、ユーザの利便性を向上することができる。
【００４５】
そして、表示制御部３０４は、表示部３０５に表示すべきテロップ表示情報がなくなると、データ管理部３０２に対しテロップデータの送出要求を出す。そして、データ管理部３０２は、表示制御部３０４から送出要求を受けると、データ管理部３０２に保持されているテロップデータ管理テーブルの１行分の送出処理を実行する。
【００４６】
そして、表示制御部３０４は、テロップ表示情報が表示部３０５で表示されているときに、表示されているテロップ表示情報の指定が操作部３０６を用いて行われると、解析テロップデータに含まれる、指定されたテロップ表示情報に対応するリンク情報をアクセス制御部３０７に送出する。なお、表示制御部３０４は、操作部３０６の操作により、文字の大きさや、文字が流れる速度など表示部３０５での表示方法の変更も制御することができる。
【００４７】
アクセス制御部３０７は、表示制御部３０４からリンク情報を受け取ると、このリンク情報のリンク種別に対応するアプリケーションを起動するとともに、このアプリケーションを用いてリンク情報のアドレス情報が示す場所へのアクセスを制御する。
【００４８】
次いで、上記構成を持つ通信システム１０の動作の流れを説明する。
【００４９】
情報配信サーバ装置１００にて記憶されている配信情報と、この配信情報に関する詳細な情報の取得場所へのリンク情報とを１つのデータに含めた形態の送信形態データ、ここではテロップデータが、ネットワークシステム２００を介して携帯端末装置３００に送信される。
【００５０】
携帯端末装置３００は、情報配信サーバ装置１００からの配信情報とこれに対応するリンク情報とを含むテロップデータを受信部３０１にて受信する。この受信されたテロップデータは、データ解析部３０３にて解析されて、解析テロップデータとして形を変えて表示制御部３０４に送出される。
【００５１】
この解析テロップデータのうちのテロップ表示情報は、表示制御部３０４の表示制御により表示部３０５にテロップ表示される。
【００５２】
そして、テロップ表示情報が表示部３０５で表示されているときに、表示されているテロップ表示情報の指定が操作部３０６を用いて行われると、解析テロップデータに含まれる、指定されたテロップ表示情報に対応するリンク情報が、表示制御部３０４からアクセス制御部３０７に送出される。
【００５３】
このリンク情報は、指定されたテロップ表示情報の詳細情報を取得できる場所を示す情報であり、アクセス制御部３０７はリンク情報に基づいて詳細情報を取得できる場所へのアクセスを制御する。
【００５４】
このように、実施の形態１に係る通信システムにおいて、情報配信サーバ装置１００においては、配信情報と、この配信情報に関する詳細情報の取得場所へのリンク情報とが対応づけられているテロップデータが記憶され、このテロップデータが携帯端末装置３００に送信される。テロップデータの受信側である携帯端末装置３００においては、テロップデータに含まれる配信情報を表示するとともに、表示されている配信情報が操作部（指定手段）を用いて指定されたときには、指定された配信情報に対応するリンク情報に基づいてアクセス制御がなされる。
【００５５】
従って、配信情報をよりリアルタイムに表示できるとともに、この配信情報に関する詳細な情報を容易な操作で取得することができる。
【００５６】
なお、実施の形態１に係る通信システムにおいて、携帯端末装置３００においては、テロップデータに含まれる配信情報をテロップ表示する例を説明したが、本発明は、これに限定されるものではなく、配信情報が表示されればよく、例えば表示される配信情報が一定間隔おきに入れ替わることでもよい。これによっても、配信情報をよりリアルタイムに表示できる。
【００５７】
（実施の形態２）
本発明の実施の形態２に係る通信システム１０Ａは、全体として図１の通信システム１０と同様の構成を持つ。そのため、図１に示す各構成要素につけた付番に「Ａ」をつけたものを付番として用いて説明を行い、通信システム１０Ａの全体構成を図示することは省略する。ただし、送信形態データとしてハイパーテキスト形式のテロップデータが、図８に示すように１つのテロップ表示情報に複数のリンク情報が関連付けられて構成されている。
【００５８】
情報配信サーバ装置１００Ａのデータ管理データベース部１０２Ａは、配信情報と、複数のリンク情報とが対応づけられているテロップデータを送信形態データとして記憶するとともに、テロップデータ管理テーブルによりテロップデータを管理している。
【００５９】
このテロップデータおよびテロップデータ管理テーブルは、データ配信制御部１０１Ａの制御により、配信部１０３Ａにより携帯端末装置３００Ａに向けて配信される。
【００６０】
携帯端末装置３００Ａのデータ管理部３０２Ａは、受信部３０１Ａを介してテロップデータおよびテロップデータ管理テーブルを受け取り、このテロップデータ管理テーブルに従ってテロップデータおよび時間情報のデータ解析部３０３Ａに対する送出処理を行う。
【００６１】
データ解析部３０３Ａは、データ管理部３０２Ａから受け取ったテロップデータおよび時間情報を用いて解析を実行する。
【００６２】
データ管理部３０２Ａから受け取ったテロップデータは、図８に示すようにハイパーテキスト形式であり、＜LINK＞〜＜/LINK＞タグが複数記述されている。図８においては、１つのテロップ表示情報に対して、ウェブ、電話、およびメールという３種類のリンク識別情報を持つリンク情報が関連付けられている。なお、１つのテロップ表示情報に関連づけられる複数のリンク情報のリンク種別が重複してもよく、例えば複数のウェブアクセス先やメールアドレスを関連付けることができる。
【００６３】
データ解析部３０３Ａは、テロップデータの解析を実行し、解析テロップデータを生成する。この解析テロップデータは、図９に示すように１組のテロップ表示情報に対し、複数のリンク情報が１組として関連付けられている。
【００６４】
表示制御部３０４Ａは、テロップ表示情報を表示部３０５Ａに表示する制御を行うとともに、このテロップ表示情報に対応づけられているリンク情報のリンク種別をガイダンス表示として表示部３０５Ａに表示する制御を行う。このときの表示部３０５Ａの画面構成の一例を図１０に示す。図１０においては、表示部３０５Ａのテロップ表示領域に表示されているテロップ表示情報に対応するリンク情報のリンク種別、ここではＭＡＩＬ、ＰＨＯＮＥ、およびＷＥＢというガイダンス表示Ｇ１、Ｇ２、Ｇ３が表示されている。このガイダンス表示は、テロップ表示の妨げにならない位置に表示される。
【００６５】
操作部３０６Ａは、例えば図１０に示すような構成を有しており、キー「UL」にガイダンス表示Ｇ１のＭＡＩＬ、キー「C」にガイダンス表示Ｇ２のＰＨＯＮＥ、および、キー「UR」にガイダンス表示Ｇ３のＷＥＢが割り当てられている。
【００６６】
表示制御部３０４Ａは、テロップ表示情報が表示部３０５Ａで表示されているときに操作部３０６Ａを用いて表示されているテロップ表示情報の指定が行われ、かつ、そのテロップ表示情報が表示されているときに表示されているガイダンス表示の１つを指定し、すなわち１つのリンク情報が指定されると、そのリンク情報をアクセス制御部３０７Ａに送出する。
【００６７】
アクセス制御部３０７Ａは、表示制御部３０４Ａからリンク情報を受け取ると、このリンク情報のリンク種別に対応するアプリケーションを起動するとともに、このアプリケーションを用いてリンク情報のアドレス情報が示す場所へのアクセスを制御する。
【００６８】
このように、実施の形態２に係る通信システムにおいて、情報配信サーバ装置１００Ａにおいては、配信情報と、この配信情報に関する詳細情報の取得場所への、複数のリンク情報とが対応づけられているテロップデータが記憶され、このテロップデータが携帯端末装置３００Ａに送信される。テロップデータの受信側である携帯端末装置３００Ａにおいては、テロップデータに含まれる配信情報が表示され、かつこの配信情報に対応づけられている複数のリンク情報のリンク種別がガイダンス表示として表示される。そして、表示されている配信情報が操作部（指定手段）を用いて指定され、かつ、指定された配信情報が表示されているときに表示されているガイダンス表示の１つが指定されると、その指定されたガイダンス表示に対応するリンク情報に基づいてアクセス制御がなされる。
【００６９】
従って、１つの配信情報に対して用意されている詳細情報の複数の取得場所に対してユーザの好みに応じてアクセスすることができ、かつその取得方法（アプリケーション）に応じたアクセス制御ができるため、ユーザの利便性を向上することができる。
【００７０】
（実施の形態３）
本発明の実施の形態３に係る通信システム１０Ｂは、図１１に示すように、全体として図１の通信システム１０と同様の構成を持つ。ただし、携帯端末装置３００Ｂが、さらに非表示設定部３１１を備えている。
【００７１】
操作部３０６Ｂの操作により非表示カテゴリ設定処理モードを選択すると、非表示設定部３１１に作動信号が入力される。非表示設定部３１１は、カテゴリ表情報を保持しており、作動信号が入力されるとそのカテゴリ表情報を表示制御部３０４Ｂに出力する。
【００７２】
表示制御部３０４Ｂは、カテゴリ表情報を受け取ると、このカテゴリ表情報を表示部３０５Ｂに表示する制御を行う。表示部３０５Ｂに表示されるカテゴリ表の構成の一例を図１２に示す。
【００７３】
図１２に示すように、カテゴリ表には、テロップ表示情報のカテゴリ情報、例えば天気情報、国際情勢、芸能情報、コンピュータ情報などが表示される。カテゴリ情報の横にチェック領域が設けられ、カテゴリごとに非表示とする旨を設定できるようになっている。
【００７４】
操作部３０６Ｂの操作により非表示の設定が終了すると、表示制御部３０４Ｂは非表示のチェックがなされたカテゴリ表情報を非表示設定部３１１に送出する。
【００７５】
非表示設定部３１１は、非表示のチェックがなされたカテゴリ表情報に基づいて、解析制御情報を生成する。図１３に示すように解析制御情報は、非表示のチェックがなされたカテゴリ情報と、そのカテゴリ情報に対応するテロップ表示情報を非表示とすべき旨を示すフラグ（０又は１）とから構成されている。なお、逆に、表示されるべきカテゴリ情報から解析制御情報を構成してもよい。
【００７６】
この解析制御情報は、非表示設定部３１１からデータ解析部３０３Ｂに送出される。
【００７７】
データ解析部３０３Ｂは、データ管理部３０２から受け取ったテロップデータの解析を実行し、解析テロップデータを生成する。しかし、実施の形態３においては、解析制御情報が非表示とすべきカテゴリ情報から構成されている場合には、データ解析部３０３Ｂは、データ制御情報に含まれるカテゴリと一致するテロップ表示情報を含めずに解析テロップデータを生成する。そして、この解析テロップデータが表示制御部３０４Ｂに送出され、表示制御部３０４Ｂの制御により表示部３０５Ｂに表示される。そのため、非表示の設定がなされたカテゴリに属す情報を非表示とすることができる。
【００７８】
このように、実施の形態３によれば、通信システム１０Ｂの、テロップデータの受信側である携帯端末装置３００Ｂにおいては、非表示とするテロップ表示情報のカテゴリ情報（配信情報の種別）を設定することができ、非表示の設定がなされたカテゴリに属すテロップ表示情報（配信情報）を非表示とすることができる。
【００７９】
従って、ユーザの好まない配信情報を排除し、表示を好むカテゴリの配信情報のみを表示することができ、ユーザの利便性を向上することができる。
【００８０】
（実施の形態４）
本発明の実施の形態４に係る通信システム１０Ｃは、図１４に示すように、図１の通信システム１０の構成に携帯端末装置４００をさらに備えている。また、情報配信サーバ装置１００Ｃが、さらにデータ受信部１１１を備えている。
【００８１】
携帯端末装置４００は、テロップデータを作成できるように構成されており、このテロップデータを情報配信サーバ装置１００Ｃに送出する。なお、このテロップデータは、ハイパーテキスト形式でも、プレーンテキスト形式でもよい。
【００８２】
情報配信サーバ装置１００Ｃのデータ受信部１１１は、携帯端末装置４００からのテロップデータを受信し、データ配信制御部１０１Ｃに送出する。データ配信制御部１０１Ｃは、データ受信部１１１からテロップデータを受け取ると、テロップデータのチェックを実行する。テロップデータのチェックでは、テロップデータの記述が誤っていないかどうかがチェックされる。例えば、テロップデータは通常ハイパーテキスト形式であるため、誤りとしては、タグの記述誤りが考えられる。つまり、＜TELOP＞タグを＜TEROP＞との記述は、誤りである。このような誤りを発見した場合には、データ配信制御部１０１Ｃは、テロップデータの破棄、修正等の処理を実行する。
【００８３】
データ配信制御部１０１Ｃは、テロップデータのチェックが完了すると、チェック後のテロップデータをデータ管理データベース部１０２Ｃに送出する。
【００８４】
データ管理データベース部１０２Ｃは、データ配信制御部１０１Ｃからテロップデータを受け取ると、そのテロップデータを保存する。また、データ管理データベース部１０２Ｃは、新しいテロップデータを追加すると、図２に示すテロップデータ管理テーブルに管理情報（テロップデータ名、およびテロップデータがテロップ管理データベースに格納されたときの時間情報）を追記する。
【００８５】
テロップデータが、データ管理データベース部１０２Ｃに追加され、テロップデータ管理テーブルが更新されると、テロップデータの配信処理等が実行される。
【００８６】
なお、携帯端末装置４００から送信されるテロップデータがプレーンテキスト形式である場合には、データ配信制御部１０１Ｃは、＜TELOP＞および＜/TELOP＞タグと、＜MAIN＞および＜/MAIN＞タグを自動的に追加し、プレーンテキスト形式のテロップデータをハイパーテキスト形式のテロップデータに変換するようにしてもよい。ただし、このテロップデータは、カテゴリ情報およびリンク情報を持たないテロップデータ、つまり本文のみのテロップデータとなる。また、データ配信制御部１０１Ｃは、プレーンテキスト形式のテロップデータの解析を行い、カテゴリ情報、本文、リンク情報を含むハイパーテキスト形式のテロップデータを生成してもよい。
【００８７】
またなお、情報配信サーバ装置１００Ｃにおいては、携帯端末装置４００から送信されるテロップデータがプレーンテキスト形式である場合には、プレーンテキスト形式のテロップデータを保持して携帯端末装置３００Ｃに送信し、携帯端末装置３００Ｃにおいて、データ解析部３０３がプレーンテキスト形式のテロップデータをハイパーテキスト形式のテロップデータに変換するとともに、解析するようにしてもよい。
【００８８】
このように、実施の形態４によれば、通信システム１０Ｃの、情報配信サーバ装置１００Ｃにおいては、携帯端末装置４００から送信されるテロップデータを受信し、このテロップデータを携帯端末装置３００Ｃに対して配信する。
【００８９】
従って、例えば通信端末装置４００のユーザが個人ユーザである場合には、情報配信サーバ装置１００Ｃの所有者（例えば、新聞社や政治機関など）からの定型的な情報だけでなく、個人的な情報も配信・交換することができる。
【産業上の利用可能性】
【００９０】
本発明に係る通信システム、情報配信サーバ装置、および携帯端末装置は、配信情報をよりリアルタイムに表示できるとともにこの配信情報に関する詳細な情報を容易な操作で取得することができるという効果を有し、携帯電話機、携帯無線通信機、パーソナルコンピュータ、情報携帯端末（ＰＤＡ）などの携帯端末装置、これに対して情報を配信するサーバ装置、およびこれらにより構築される通信システムに有効である。
【図面の簡単な説明】
【００９１】
【図１】本発明の実施の形態１に係る通信システムの構成を示すブロック図
【図２】テロップデータ管理テーブルの構成を示す図
【図３】テロップデータ配信制御情報の構成を示す図
【図４】更新後のテロップデータ配信制御情報の構成を示す図
【図５】ハイパーテキスト形式のテロップデータの構成を示す図
【図６】解析テロップデータの構成を示す図
【図７】表示部のテロップ表示領域にテロップ表示情報が表示される様子を説明するための図
【図８】ハイパーテキスト形式のテロップデータの他の構成を示す図
【図９】解析テロップデータの他の構成を示す図
【図１０】表示部の表示構成および操作部の構成の一例を示すとともに表示構成と操作部の構成との対応を説明するための図
【図１１】実施の形態３に係る通信システムの構成を示すブロック図
【図１２】カテゴリ表の構成の一例を示す図
【図１３】解析制御情報の構成を示す図
【図１４】実施の形態４に係る通信システムの構成を示すブロック図
【符号の説明】
【００９２】
１０  通信システム
Ｇ１、Ｇ２、Ｇ３  ガイダンス表示
１００  情報配信サーバ装置
１０１  データ配信制御部
１０２  データ管理データベース部
１０３  配信部
１１１  データ受信部
２００  ネットワークシステム
３００、４００  携帯端末装置
３０１  受信部
３０２  データ管理部
３０３  データ解析部
３０４  表示制御部
３０５  表示部
３０６  操作部
３０７  アクセス制御部
３１１  非表示設定部
【図１】
2006031366.tif 000003
【図２】
2006031366.tif 000004
【図３】
2006031366.tif 000005
【図４】
2006031366.tif 000006
【図５】
2006031366.tif 000007
【図６】
2006031366.tif 000008
【図７】
2006031366.tif 000009
【図８】
2006031366.tif 000010
【図９】
2006031366.tif 000011
【図１０】
2006031366.tif 000012
【図１１】
2006031366.tif 000013
【図１２】
2006031366.tif 000014
【図１３】
2006031366.tif 000015
【図１４】
2006031366.tif 000016